(57)【特許請求の範囲】
【請求項１】
調光点灯装置であって、
調光目標値に応じた出力電流を光源に供給する電源回路と、
商用電源からなるＡＣ調光信号及び該ＡＣ調光信号よりもピーク電圧が低いＰＷＭ調光信号を受付け可能な一対の調光入力端子と、
前記一対の調光入力端子に接続された整流回路と、
前記整流回路の整流出力のピーク電圧が所定値以上である場合には第１の論理を出力し、前記整流出力のピーク電圧が前記所定値未満である場合には第２の論理を出力する振幅判別回路と、
前記整流出力から、前記ＰＷＭ調光信号のデューティ比に応じたアナログ値を生成するアナログ変換回路と、
前記振幅判別回路によって前記第１の論理が出力される場合には予め設定された段調光用の調光率に対応する前記調光目標値を前記電源回路に出力し、前記振幅判別回路によって前記第２の論理が入力される場合には前記アナログ値に応じた調光率に対応する前記調光目標値を前記電源回路に出力するように構成された調光制御回路と
を備えた調光点灯装置。
【請求項２】
請求項１に記載の調光点灯装置において、
前記振幅判別回路が、
前記整流出力から、設定電圧を上限とする出力電圧を生成する電圧レギュレータ回路と、
前記電圧レギュレータ回路の出力電圧が前記設定電圧である場合には前記第１の論理を出力し、前記電圧レギュレータ回路の出力電圧が前記ＰＷＭ調光信号のピーク電圧以下である場合には前記第２の論理を出力するように構成された選別回路と
備えた調光点灯装置。
【請求項３】
請求項１に記載の調光点灯装置において、
前記アナログ変換回路が、
前記整流出力から、設定電圧を上限とする出力電圧を生成する電圧レギュレータ回路と、
前記電圧レギュレータ回路の出力電圧の積分に基づいて前記アナログ値を生成する積分変換回路と
を備えた調光点灯装置。
【請求項４】
請求項１に記載の調光点灯装置において、
前記振幅判別回路が、
前記整流出力から、設定電圧を上限とする出力電圧を生成する電圧レギュレータ回路と、
前記電圧レギュレータ回路の出力電圧が前記設定電圧である場合には前記第１の論理を出力し、前記電圧レギュレータ回路の出力電圧が前記ＰＷＭ調光信号のピーク電圧以下である場合には前記第２の論理を出力するように構成された選別回路と
を備え、
前記アナログ変換回路が、
前記電圧レギュレータ回路の出力電圧の積分に基づいて前記アナログ値を生成する積分変換回路
を備えた調光点灯装置。
【請求項５】
請求項１に記載の調光点灯装置において、
前記振幅判別回路が、
前記整流出力から、設定電圧を上限とする出力電圧を生成する電圧レギュレータ回路と、
前記電圧レギュレータ回路側の基準電位を前記電源回路側の基準電位に変換するフォトカプラと、
前記フォトカプラの出力電圧が閾値以上である場合には前記第１の論理を出力し、前記フォトカプラの出力電圧が閾値未満である場合には前記第２の論理を出力するように構成された選別回路と
を備え、
前記アナログ変換回路が、
前記フォトカプラの出力電圧の積分に基づいて前記アナログ値を生成する積分回路
を備えた調光点灯装置。
【請求項６】
請求項１に記載の調光点灯装置において、前記整流回路が前記一対の調光入力端子に並列接続された第１及び第２の整流回路からなり、
前記振幅判別回路が、
前記第１の整流回路の整流出力を分圧及び平滑する分圧平滑回路と、
前記分圧平滑回路の出力が閾値以上である場合には前記第１の論理を出力し、前記分圧平滑回路の出力が前記閾値未満である場合には前記第２の論理を出力するように構成された選別回路と
を備え、
前記アナログ変換回路が、
前記第２の整流回路の整流出力から、設定電圧を上限とする出力電圧を生成する電圧レギュレータ回路と、
前記電圧レギュレータ回路の出力電圧から前記アナログ値を生成する積分変換回路と
を備えた調光点灯装置。
【請求項７】
請求項１から６のいずれか一項に記載の調光点灯装置と、前記光源とを備えた照明装置。
【発明の詳細な説明】
【技術分野】
【０００１】
本発明は、調光点灯装置及びそれを用いた照明装置に関する。
【背景技術】
【０００２】
調光用の点灯装置に入力される調光信号として、商用電源等を用いたＡＣ調光信号、低電圧高周波のＰＷＭ信号を用いたＰＷＭ調光信号等がある。ＡＣ調光信号は段調光点灯に用いられ、点灯装置では、ＡＣ調光信号入力の有無に応じて全光点灯又は調光点灯が選択される。例えば、特許文献１に開示されるように、ＡＣ調光信号が入力される場合、そのＡＣ調光信号は、整流回路による全波整流、コンデンサによる平滑、抵抗分圧回路による分圧、及びフォトカプラによる基準電位変換を受け、フォトカプラの論理ハイの出力に応じて調光点灯が適用される。ＰＷＭ調光信号は主に連続調光点灯に用いられ、点灯装置では、ＰＷＭ調光信号のオンデューティに応じて調光率が決定される。例えば、特許文献２に開示されるように、入力されるＰＷＭ調光信号は、整流回路による全波整流、フォトカプラによる基準電位変換、及び積分回路による積分処理を受け、その積分値に応じた調光率によって調光点灯が行われる。
【先行技術文献】
【特許文献】
【０００３】
【特許文献１】特開２０１５−１３５７９５号公報
【特許文献２】特許５５２８１４３号公報
【発明の概要】
【発明が解決しようとする課題】
【０００４】
しかし、特許文献１のようなＡＣ調光信号用の点灯装置にＰＷＭ調光信号線が誤接続された場合、又は特許文献２のようなＰＷＭ調光信号用の点灯装置にＡＣ調光信号が誤接続された場合に問題が起こる。ＡＣ調光信号用の点灯装置にＰＷＭ調光信号線が誤接続されると、調光用回路においてＡＣ信号が検出されないため調光は行われない。また、ＰＷＭ調光信号用の点灯装置にＡＣ調光信号が誤接続されると、調光用回路においてＰＷＭ信号が検出されないために調光が行われず、更には、小信号用の調光用回路にＡＣ電圧が印加されるために過電圧により点灯装置が故障してしまう。また、点灯装置にＡＣ調光信号用の調光入力端子及び調光用回路と、ＰＷＭ調光信号用の調光入力端子及び調光用回路との両方を搭載しても、上記のような誤接続が回避されるとは限らず、更には点灯装置のサイズ及びコストも増加してしまう。
【０００５】
そこで、本発明は、調光信号としてＡＣ調光信号及びＰＷＭ調光信号の双方を同じ調光入力端子から受け付けてそれぞれの調光信号に従う調光点灯を可能とする調光点灯装置及びそれを用いた照明装置を提供することを課題とする。
【課題を解決するための手段】
【０００６】
本開示の調光点灯装置は、調光目標値に応じた出力電流を光源に供給する電源回路と、商用電源からなるＡＣ調光信号及びＡＣ調光信号よりもピーク電圧が低いＰＷＭ調光信号を受付け可能な一対の調光入力端子と、一対の調光入力端子に接続された整流回路と、整流回路の整流出力のピーク電圧が所定値以上である場合には第１の論理を出力し、整流出力のピーク電圧が所定値未満である場合には第２の論理を出力する振幅判別回路と、整流出力から、ＰＷＭ調光信号のデューティ比に応じたアナログ値を生成するアナログ変換回路と、振幅判別回路によって第１の論理が出力される場合には予め設定された段調光用の調光率に対応する調光目標値を電源回路に出力し、振幅判別回路によって第２の論理が入力される場合には上記アナログ値に応じた調光率に対応する調光目標値を電源回路に出力するように構成された調光制御回路とを備える。
【０００７】
本開示の調光点灯装置によると、一対の調光入力端子を介して、整流回路が、ピーク電圧が相対的に高いＡＣ調光信号及びピーク電圧が相対的に低いＰＷＭ調光信号を調光信号として受け付け、振幅判別回路が、ＡＣ調光信号入力時には第１の論理を出力し、ＰＷＭ調光信号入力時には第２の論理を出力することができる。一方、アナログ変換回路は、ＰＷＭ調光信号入力時には、整流出力からＰＷＭ調光信号のデューティ比に応じたアナログ値を出力する。そして、調光制御回路が、第１の論理が出力される場合にはアナログ変換回路の出力にかかわらず段調光用の調光目標値を電源回路に出力し、第２の論理が入力される場合にはアナログ値に応じた調光目標値を電源回路に出力する。このように、調光信号としてＡＣ調光信号及びＰＷＭ調光信号の双方を同じ調光入力端子から受け付けてそれぞれの調光信号に従う調光点灯を可能とする調光点灯装置が実現される。
【０００８】
第１の形態では、振幅判別回路は、整流出力から、設定電圧を上限とする出力電圧を生成する電圧レギュレータ回路と、電圧レギュレータ回路の出力電圧が設定電圧である場合には第１の論理を出力し、電圧レギュレータ回路の出力電圧がＰＷＭ調光信号のピーク電圧以下である場合には第２の論理を出力するように構成された選別回路と備える。これにより、簡素な構成で振幅判別回路が構成される。
【０００９】
第１の形態では、アナログ変換回路は、整流出力から、設定電圧を上限とする出力電圧を生成する電圧レギュレータ回路と、電圧レギュレータ回路の出力電圧の積分に基づいて上記アナログ値を生成する積分変換回路とを備える。これにより、簡素な構成でアナログ変換回路が構成される。
【００１０】
ここで、振幅判別回路とアナログ変換回路とが電圧レギュレータ回路を共有する構成が好ましい。これにより、簡素な回路構成が確保される。
【００１１】
第２の形態では、振幅判別回路は、整流出力から、設定電圧を上限とする出力電圧を生成する電圧レギュレータ回路と、電圧レギュレータ回路側の基準電位を電源回路側の基準電位に変換するフォトカプラと、フォトカプラの出力電圧が閾値以上である場合には第１の論理を出力し、フォトカプラの出力電圧が閾値未満である場合には第２の論理を出力するように構成された選別回路とを備え、アナログ変換回路は、フォトカプラの出力電圧の積分に基づいて上記アナログ値を生成する積分回路を備える。この構成によると、振幅判別回路及びアナログ変換回路が１つのフォトカプラを共有することができるので、回路構成の更なる簡素化が可能となる。
【００１２】
第３の形態では、整流回路が一対の調光入力端子に並列接続された第１及び第２の整流回路からなり、振幅判別回路は、第１の整流回路の整流出力を分圧及び平滑する分圧平滑回路と、分圧平滑回路の出力が閾値以上である場合には第１の論理を出力し、分圧平滑回路の出力が閾値未満である場合には第２の論理を出力するように構成された選別回路とを備え、アナログ変換回路は、第２の整流回路の整流出力から、設定電圧を上限とする出力電圧を生成する電圧レギュレータ回路と、電圧レギュレータ回路の出力電圧に基づいて上記アナログ値を生成する積分変換回路とを備える。この構成によると、振幅判別回路及びアナログ変換回路が独立して設計されるのでそれぞれの設計自由度が増す。
【００１３】
本開示の照明装置は、上記いずれかの調光点灯装置と、光源とを備える。これにより、調光信号としてＡＣ調光信号及びＰＷＭ調光信号の双方を同じ調光入力端子から受け付けてそれぞれの調光信号に従う調光点灯を可能とする照明装置が実現される。
【図面の簡単な説明】
【００１４】
【図１】第１の実施形態による調光点灯装置及び照明装置を示す図である。
【図２Ａ】図１の調光回路の動作を説明する図である。
【図２Ｂ】図１の調光回路の動作を説明する図である。
【図３Ａ】第１の実施形態における振幅判別回路の変形例を示す図である。
【図３Ｂ】第１の実施形態における振幅判別回路の変形例を示す図である。
【図３Ｃ】第１の実施形態における振幅判別回路の変形例を示す図である。
【図３Ｄ】第１の実施形態における振幅判別回路の変形例を示す図である。
【図３Ｅ】第１の実施形態における振幅判別回路の変形例を示す図である。
【図４】第１の実施形態におけるアナログ変換回路の変形例を示す図である。
【図５】第２の実施形態における調光回路を示す図である。
【図６Ａ】図５の調光回路の動作を説明する図である。
【図６Ｂ】図５の調光回路の動作を説明する図である。
【図７】第３の実施形態による調光回路を示す図である。
【図８】本発明の変形例による調光点灯装置及び照明装置を示す図である。
【発明を実施するための形態】
【００１５】
＜第１の実施形態＞
図１に、第１の実施形態による調光点灯装置１００及びそれを用いた照明装置１５０を示す。照明装置１５０はＬＥＤ照明装置であり、調光点灯装置１００及びＬＥＤ（ＬＥＤユニット）５０を含む。調光点灯装置１００には、交流電源ＡＣ（例えば、商用電源）からの入力電源電圧が入力端子Ｔ１及びＴ２を介して給電され、調光点灯装置１００によって生成される直流出力電流が出力端子Ｔ３及びＴ４、配線Ｗ１及びＷ２並びに端子Ｔ５及びＴ６を介してＬＥＤ５０に供給される。ＬＥＤ５０は、直列接続又は直並列接続された複数のＬＥＤ素子のアレイを含む。
【００１６】
調光点灯装置１００には、外部調光器（不図示）からの調光信号が、調光入力端子Ｔ７及びＴ８を介して入力される。調光信号として、ＡＣ調光信号及びＰＷＭ信号が入力される可能性があり、これらの信号線が調光入力端子Ｔ７及びＴ８に接続され得る。ＡＣ調光信号は商用電源電圧からなり、その印加がないことによって全光点灯を指示し、その印加があることによって段調光点灯を指示するものである。ＰＷＭ調光信号は、振幅５〜１５Ｖ程度及び周波数５００Ｈｚ〜１０ｋＨｚ程度の低電圧高周波信号（ＡＣ調光信号との比較において）であり、そのオンデューティに基づく調光率での調光点灯を指示するものである。各実施形態では、例示として、振幅が１２Ｖ０−ｐｅａｋで周波数が１ｋＨｚのＰＷＭ調光信号が採用されるものとする。また、ＰＷＭ調光信号では、オンデューティが大きいほど低い調光率（すなわち、暗い点灯）が指示され、オンデューティが小さいほど高い調光率（すなわち、明るい点灯）が指示される。したがって、ＡＣ調光信号もＰＷＭ調光信号も入力されない場合には全光点灯が行われる。
【００１７】
調光点灯装置１００は、電源回路２００及び調光回路３００を備える。電源回路２００は入力回路２１０、ＤＣ／ＤＣコンバータ２２０、検出回路２３０及び制御回路２４０を備え、調光回路３００は整流回路３１０、振幅判別回路３２０、アナログ変換回路３３０及び調光制御回路３４０を備える。
【００１８】
入力回路２１０は、電流ヒューズ１及び２、ダイオードブリッジ３、入力コンデンサ４、並びに必要に応じてノイズフィルタを備える。入力回路２１０には交流電源ＡＣからの交流電圧が入力され、ダイオードブリッジ３による全波整流出力が入力コンデンサ４によって若干平滑されてＤＣ／ＤＣコンバータ２２０に入力される。
【００１９】
ＤＣ／ＤＣコンバータ２２０は、本実施形態においては絶縁型フライバックコンバータからなり、力率改善機能を持つ、いわゆるワンコンバータ方式のフライバック回路を構成する。ＤＣ／ＤＣコンバータ２２０は、スイッチング素子５、トランス６、電流検知抵抗７、ダイオード８、及び出力コンデンサ９を含む。本実施形態では、スイッチング素子５はＭＯＳＦＥＴからなるので、以降においてスイッチング素子５のことをＦＥＴ５ともいう。また、トランス６の一次巻線側の基準点（すなわち、入力コンデンサ４の低電位電極側ノード）を一次側グランドＧ１といい、二次巻線側の基準点（すなわち、出力コンデンサ９の低電位電極側ノード）を二次側グランドＧ２というものとする。
【００２０】
ＤＣ／ＤＣコンバータ２２０のＰＷＭ制御において、ＦＥＴ５のオン期間にトランス６の一次巻線にエネルギーが蓄積され、ＦＥＴ５のオフ期間にそのエネルギーがトランス６の二次巻線側からダイオード８を介して出力コンデンサ９に充電される。ＤＣ／ＤＣコンバータ２２０の出力は、ＦＥＴ５のオンデューティ（オン幅）、トランス６の一次巻線に対する二次巻線の巻数比等によって決まる。ＦＥＴ５は、制御ＩＣ１５から出力されるＰＷＭゲート信号によって駆動される。なお、以降の説明において、ＤＣ／ＤＣコンバータ２２０の出力電流を「出力電流」といい、ＤＣ／ＤＣコンバータ２２０の出力電圧（ＬＥＤ電流）を「負荷電圧」という。
【００２１】
検出回路２３０は、電流検出抵抗１０からなる電流検出回路並びに抵抗１１、１２及び１３からなる電圧検出回路を含み、二次側グランドＧ２を基準電位とする。電流検出抵抗１０は二次側グランドＧ２とＬＥＤ５０のカソード端との間に挿入された低抵抗素子からなり、出力電流に比例した電圧が電流検出抵抗１０に発生する。電圧検出回路（抵抗１１、１２及び１３）は出力コンデンサ９に並列接続された分圧抵抗回路からなり、負荷電圧に比例した電圧が抵抗１３に発生する。
【００２２】
制御回路２４０は、コンデンサ１４、制御ＩＣ１５、オペアンプ１６及び１７、ダイオード１８及び１９、電圧源２０及び２１、抵抗２２及び２３並びにフォトカプラ２４（フォトダイオード２４ｄ及びフォトトランジスタ２４ｔ）を含む。フォトカプラ２４のフォトダイオード２４ｄ側は二次側グランドＧ２を基準として動作し、フォトトランジスタ２４ｔ側は一次側グランドＧ１を基準として動作する。なお、制御回路２４０には、一次側グランドＧ１を基準電位とする制御電源Ｖｃｃ１及び二次側グランドＧ２を基準電位とする制御電源Ｖｃｃ２が不図示の補助電源回路によって適宜供給されるものとする。補助電源回路は、入力コンデンサ４の電圧の降下電圧、出力コンデンサ９の電圧の降下電圧、トランス６の補助巻線（不図示）に発生する電圧の整流平滑電圧等から各制御電源を生成する。
【００２３】
制御ＩＣ１５は、フライバックコンバータを駆動するための汎用のスイッチング制御ＩＣであればよく、少なくとも、制御電源端子（ＶＣＣ端子）、グランド端子（ＧＮＤ端子）、ゲート出力端子（ＯＵＴ端子）、電流センス端子（ＩＳＮＳ端子）及びフィードバック端子（ＦＢ端子）を有する。ＶＣＣ端子は制御電源Ｖｃｃ１の給電を受ける。ＦＢ端子は、フォトトランジスタ２４ｔのコレクタ端子及びコンデンサ１４に接続される。ＩＳＮＳ端子は、電流検知抵抗７とＦＥＴ５のソース端子との接続点に接続され、電流検知抵抗７に発生するＦＥＴ電流に対応する電圧の入力を受ける。制御ＩＣ１５は、ＭＵＬ端子（不図示）及びＩＳＮＳ端子の入力によってＦＥＴ５のスイッチング動作を適正化しつつ、ＦＢ端子への入力に応じたオン幅でＦＥＴ５をＰＷＭ駆動する。具体的には、本実施形態では、ＦＢ端子電圧の増加／減少に対してＰＷＭ駆動のオン幅が増加／減少する。
【００２４】
定電流制御用のオペアンプ１６の反転入力端子（−）には検出回路２３０（電流検出抵抗１０）によって検出された検出電流値が入力され、非反転入力端子（＋）には出力電流の目標値（目標電流値）に対応する電圧が調光制御回路３４０から入力される。なお、オペアンプ１６の反転入力端子と出力端子間には不図示の帰還素子（抵抗、コンデンサ、又はこれらの直列回路若しくは並列回路）が接続されるものとする。オペアンプ１６は、反転入力端子に入力される検出電流値と、非反転入力端子に入力される目標電流値との誤差を増幅して出力する。
【００２５】
定電圧制御用のオペアンプ１７の反転入力端子（−）には検出回路２３０（抵抗１１、１２及び１３）によって検出された検出電圧値が入力され、非反転入力端子（＋）には負荷電圧の目標電圧値（上限電圧値）に対応する電圧が電圧源２０から入力される。なお、オペアンプ１７の反転入力端子と出力端子間にも不図示の帰還素子が接続されるものとする。オペアンプ１７は、反転入力端子に入力される検出電圧値と、非反転入力端子に入力される上限電圧値との誤差を増幅して出力する。電圧源２０は制御電源Ｖｃｃ２の分圧点であればよい。
【００２６】
ダイオード１８及び１９からなるダイオードＯＲ回路は、オペアンプ１６の出力端子電圧又はオペアンプ１７の出力端子電圧のいずれか低い方に対してオンする。ダイオードＯＲ回路の共通アノードはフォトダイオード２４ｄのカソード側に接続される。フォトダイオード２４ｄのアノードは電圧源２１に抵抗２２を介して接続され、フォトダイオード２４ｄに抵抗２３が並列接続される。電圧源２１は制御電源Ｖｃｃ２等であればよい。フォトトランジスタ２４ｔには、フォトダイオード２４ｄに流れる電流（発光）に応じた出力電流が流れる。これにより、ダイオード１８がオンされてオペアンプ１６による定電流制御が選択されている場合には、検出電流値が目標電流値に一致し、ダイオード１９がオンされてオペアンプ１７による定電圧制御が選択されている場合には、検出電圧値が上限電圧値に一致する。
【００２７】
例えば定電流制御において、検出電流値が目標電流値よりも高い時点では、オペアンプ１６の誤差増幅作用によってフォトダイオード２４ｄ及びフォトトランジスタ２４ｔの電流が増加する。これにより、制御ＩＣ１５のＦＢ端子電圧が低下し、ＦＥＴ５のＰＷＭ駆動におけるオン幅が狭まり、出力電流が減少する。逆に、検出電流値が目標電流値よりも低い時点では、オペアンプ１６の誤差増幅作用によってフォトダイオード２４ｄ及びフォトトランジスタ２４ｔの電流が減少する。これにより、制御ＩＣ１５のＦＢ端子電圧が上昇し、ＦＥＴ５のＰＷＭ駆動におけるオン幅が拡がり、出力電流が増加する。
【００２８】
以下に、調光回路３００を説明する。整流回路３１０は、調光入力端子Ｔ７及びＴ８に接続されたダイオードブリッジからなり、ＡＣ調光信号に対応する耐圧を有する。整流回路３１０は、ＡＣ調光信号が入力される場合には、ＡＣ調光信号の全波整流電圧を整流出力として出力し、ＰＷＭ調光信号が入力される場合には、ＰＷＭ調光信号をそのまま整流出力として通過させる。なお、整流回路３１０の基準電位（すなわち、整流回路３１０の低電位側出力端）をグランドＧ３というものとする。
【００２９】
振幅判別回路３２０は、トランジスタ２５、抵抗２６及びツェナーダイオード２７を含む電圧レギュレータ回路ＶＲ、ツェナーダイオード２８からなるスイッチ回路Ｓ、抵抗２９及びコンデンサ３０を含む平滑回路Ｃ、並びにフォトカプラ３１を有する。概略として、振幅判別回路３２０は、整流回路３１０の整流出力のピーク電圧が所定値以上である場合には二次側グランドＧ２を基準電位とする論理ハイを生成し、整流出力のピーク電圧が所定値未満である場合には二次側グランドＧ２を基準電位とする論理ローを生成するように構成される。なお、必要に応じて、スイッチ回路Ｓ、平滑回路Ｃ及びフォトカプラ３１をまとめて選別回路ともいう。
【００３０】
電圧レギュレータ回路ＶＲはシリーズレギュレータからなり、整流出力から、ツェナーダイオード２７のツェナー電圧ＺＶ１（設定電圧）を上限とする出力電圧Ｖｒを生成する。ツェナー電圧ＺＶ１には、小信号回路として扱える電圧範囲（例えば３０Ｖ以下）において、ＰＷＭ調光信号の振幅（すなわち、ピーク電圧（本実施形態では１２Ｖ））以上の電圧が適用される。
【００３１】
これにより、ＡＣ調光信号入力時において、整流出力がツェナー電圧ＺＶ１以上となる期間（実質的に大部分の期間）では出力電圧Ｖｒはツェナー電圧ＺＶ１となり、整流出力がツェナー電圧ＺＶ１未満となる期間（ゼロクロス付近の期間）では整流出力がそのまま出力電圧Ｖｒとなる。ＰＷＭ調光信号入力時には、ＰＷＭ調光信号に等しい整流出力が、そのまま出力電圧Ｖｒとして現われる。なお、電圧レギュレータ回路ＶＲとして、シリーズレギュレータに代えて、三端子レギュレータ、シャントレギュレータ等が採用されてもよい。
【００３２】
スイッチ回路Ｓは、電圧レギュレータ回路ＶＲの出力電圧Ｖｒに応じてオン／オフして出力電圧Ｖｓを生成する。スイッチ回路Ｓにおいて、ツェナーダイオード２８のカソードがトランジスタ２５のエミッタに接続され、アノードが抵抗２９接続される。ツェナーダイオード２８のツェナー電圧ＺＶ２は、ＰＷＭ調光信号のピーク電圧よりも高くかつツェナー電圧ＺＶ１よりも低い値が選定される。したがって、出力電圧Ｖｒがツェナー電圧ＺＶ２以上である場合には、出力電圧Ｖｒからツェナー電圧ＺＶ２が降下された電圧が出力電圧Ｖｓとしてツェナーダイオード２８のアノードに発生する。一方、出力電圧Ｖｒがツェナー電圧ＺＶ２未満である場合にはツェナーダイオード２８はオフし、出力電圧Ｖｓはゼロとなる。
【００３３】
すなわち、ＡＣ調光信号入力時において、出力電圧Ｖｒがツェナー電圧ＺＶ２以上となる期間（整流出力がツェナー電圧ＺＶ１でクランプされる大部分の期間）では、出力電圧Ｖｓは出力電圧Ｖｒとツェナー電圧ＺＶ２の差分となり、出力電圧Ｖｒがツェナー電圧ＺＶ２未満となる期間（ゼロクロス付近の期間）では出力電圧Ｖｓはゼロとなる。また、ＰＷＭ調光信号入力時には、上述したように、ＰＷＭ調光信号のピーク電圧がツェナー電圧ＺＶ２未満であるため、ツェナーダイオード２８はオフとなり、出力電圧Ｖｓはゼロとなる。
【００３４】
例えば、一設計例として、ツェナー電圧ＺＶ１を２２Ｖ、ツェナー電圧ＺＶ２を１５Ｖとする（本実施形態では、ＰＷＭ調光信号の振幅は１２Ｖである）。この場合、ＡＣ調光信号入力時にはスイッチ回路Ｓの出力電圧Ｖｓとして７Ｖ（＝２２Ｖ−１５Ｖ）をピークとする電圧が発生し、ＰＷＭ調光信号入力時にはツェナーダイオード２８はオフされて出力電圧Ｖｓは０Ｖとなる。
【００３５】
平滑回路Ｃは、商用電源周波数の２倍の周波数成分（１００Ｈｚ又は１２０Ｈｚ）を平滑可能な時定数を有し、スイッチ回路Ｓの出力電圧Ｖｓを平滑して平滑出力電圧Ｖｃを生成する。上述のように、ＡＣ調光信号入力時には、大部分の期間において、ツェナー電圧ＺＶ１とツェナー電圧ＺＶ２の差分が平滑回路Ｃに入力されるので、全期間における平滑出力電圧ＶｃはＺＶ１−ＺＶ２となる。また、ＰＷＭ調光信号入力時には、スイッチ回路Ｓの出力電圧Ｖｓが入力されないため、平滑出力電圧Ｖｃはゼロとなる。
【００３６】
フォトカプラ３１は、平滑回路Ｃの平滑出力電圧Ｖｃをレベル変換して出力電圧Ｖ３１を出力する。フォトカプラ３１のフォトダイオード３１ｄには、抵抗３２が直列接続され、抵抗３３が並列接続され、フォトカプラ３１のフォトトランジスタ３１ｔのコレクタには制御電源Ｖｃｃ２が接続され、エミッタと二次側グランドＧ２の間には抵抗３４が接続される。抵抗３２及び３３によってフォトダイオード３１ｄの入力電流が決定されるとともに、抵抗３４によってフォトカプラ３１の出力電圧Ｖ３１が決定される。このように、フォトカプラ３１によって、平滑出力電圧Ｖｃの電圧レベルが二次側グランドＧ２を基準として変換される。したがって、フォトカプラ３１の出力電圧Ｖ３１は、ＡＣ調光信号入力時には平滑出力電圧Ｖｃに対応する電圧（すなわち、論理ハイ）となり、ＰＷＭ調光信号入力時にはゼロ（すなわち、論理ロー）なる。この出力電圧Ｖ３１に対応する論理が調光制御回路３４０のポートＰ１に入力される。なお、フォトトランジスタ３１ｔ、抵抗３４及びポートＰ１の接続関係を変更して、フォトカプラ３１の出力論理及び調光制御回路３４０での処理論理を反転してもよい。
【００３７】
アナログ変換回路３３０は、上述の電圧レギュレータ回路ＶＲ、フォトカプラ３５、並びに抵抗３９及びコンデンサ４０を含む積分回路ＲＣを有し、電圧レギュレータ回路ＶＲを振幅判別回路３２０と共有する。概略として、アナログ変換回路３３０は、整流出力からＰＷＭ調光信号のオンデューティに応じた、二次側グランドＧ２を基準電位とするアナログ値を生成する。なお、必要に応じて、フォトカプラ３５及び積分回路ＲＣをまとめて積分変換回路ともいう。
【００３８】
フォトカプラ３５は、電圧レギュレータ回路ＶＲの出力電圧Ｖｒをレベル変換して出力電圧Ｖ３５を出力する。フォトカプラ３５のフォトダイオード３５ｄには、抵抗３６が直列接続され、抵抗３７が並列接続され、フォトカプラ３５のフォトトランジスタ３５ｔのコレクタには制御電源Ｖｃｃ２が接続され、エミッタと二次側グランドＧ２の間には抵抗３８が接続される。抵抗３６及び３７によってフォトダイオード３５ｄの入力電流が決定されるとともに、抵抗３８によってフォトカプラ３５の出力電圧Ｖ３５が決定される。このように、フォトカプラ３５によって、出力電圧Ｖｒの電圧レベルが二次側グランドＧ２を基準として変換される。
【００３９】
積分回路ＲＣは、フォトカプラ３５の出力電圧Ｖ３５を積分する。積分回路ＲＣには、ツェナー電圧ＺＶ１でクランプされたＡＣ調光信号の全波整流波形の相似波形、又はＰＷＭ調光信号の相似波形が、二次側グランドＧ２を基準電位として入力される。積分回路ＲＣは、ＰＷＭ調光信号の周波数成分（本実施形態では１ｋＨｚ）を平滑可能な時定数を有する。したがって、積分回路ＲＣは、平滑回路Ｃのように商用電源周波数の２倍の周波数成分（１００Ｈｚ又は１２０Ｈｚ）を平滑できなくてもよい。むしろ、ＰＷＭ調光信号の変更操作に対する電源回路２００での調光動作の応答性を確保するために、積分回路ＲＣの時定数は可能な範囲で小さい方が好ましい。積分回路ＲＣの積分出力は上記のアナログ値に対応し、このアナログ値が調光制御回路３４０のポートＰ２に入力される。なお、フォトトランジスタ３５ｔ、抵抗３８及びポートＰ２の接続関係を変更して、フォトカプラ３５の出力論理及び調光制御回路３４０での処理論理を反転してもよい。
【００４０】
調光制御回路３４０は、例えば、マイコン及びその周辺回路からなり、制御電源Ｖｃｃ２の給電を受けて二次側グランドＧ２を基準として動作する。ポートＰ１に論理ハイが入力される場合には、調光制御回路３４０は、ポートＰ２の入力にかかわらず、予め設定された段調光用の調光率（例えば、５０％、７５％等）に対応する調光目標値をポートＰ３から制御回路２４０（オペアンプ１６）に出力する。一方、ポートＰ１に論理ローが入力される場合には、調光制御回路３４０は、ポートＰ２に入力されるアナログ値に応じた調光率に対応する調光目標値をポートＰ３から制御回路２４０（オペアンプ１６）に出力する。すなわち、ＡＣ調光信号入力時には、ポートＰ１に論理ハイが入力されて、段調光点灯用の調光目標値がポートＰ３から出力される。一方、ＰＷＭ調光信号入力時には、ポートＰ１に論理ローが入力されて、ポートＰ２に入力されるアナログ値に応じた調光目標値がポートＰ３から出力される。
【００４１】
アナログ値と調光率の関係は、調光制御回路３４０のメモリ（不図示）に予め記憶されているものとする。具体的には、ＰＷＭ調光信号のオンデューティの小／大と、アナログ値の低／高と、調光率の高（明）／低（暗）とがそれぞれ対応する。調光制御回路３４０のＣＰＵ（不図示）は、入力されるアナログ値に応じて、又はアナログ値からＡ／Ｄ変換器（不図示）を介して変換されたデジタル値に応じて、メモリを参照して調光目標値を生成及び出力する。
【００４２】
図２Ａ及び図２Ｂに、本実施形態における調光回路３００の動作を示す。図２ＡはＡＣ調光信号が入力された場合の各部波形を示し、図２ＢはＰＷＭ調光信号が入力された場合の各部波形を示す。各図において、上段から、（ａ）調光信号、（ｂ）電圧レギュレータ回路ＶＲの出力電圧Ｖｒ、（ｃ）スイッチ回路Ｓ（ツェナーダイオード２８）の出力電圧Ｖｓ、（ｄ）平滑回路Ｃの平滑出力電圧Ｖｃ、（ｅ）ポートＰ１の入力電圧及び（ｆ）ポートＰ２の入力電圧を示し、横軸は時間である。なお、電圧及び時間に関して、図は縮尺通りではない。
【００４３】
図２Ａに示すように、波形（ａ）に示すＡＣ調光信号が入力されると、波形（ｂ）に示すように、交流電圧の全波整流出力が電圧レギュレータ回路ＶＲによってクランプされる。波形（ｃ）に示すように、出力電圧Ｖｓは、波形（ｂ）に示す出力電圧Ｖｒとツェナー電圧ＺＶ２との差分となる。波形（ｄ）に示すように、平滑出力電圧Ｖｃは、出力電圧Ｖｓの平滑電圧となる。そして、波形（ｅ）に示すように、平滑出力電圧Ｖｃがフォトカプラ３１によってレベル変換されてポートＰ１に論理ハイが入力される。これにより、調光制御回路３４０は、段調光用の調光目標値を生成する。なお、積分回路ＲＣは高周波積分用の時定数を有するので、波形（ｆ）に示すように、波形（ｂ）に示す出力電圧Ｖｒの低周波波形がそのままポートＰ２に現われる。したがって、ポートＰ２には高い電圧が現われるが、ポートＰ１に入力される論理がハイであるので、ポートＰ２の電圧は調光制御回路３４０における調光率決定に影響しない。
【００４４】
図２Ｂに示すように、波形（ａ）に示すＰＷＭ調光信号が入力されると、波形（ｂ）に示すように、ＰＷＭ調光信号の振幅はツェナー電圧ＺＶ１未満であるため、ＰＷＭ調光信号の波形がそのまま出力電圧Ｖｒとなる。上述したようにツェナーダイオード２８はオンせずに出力電圧Ｖｓはゼロとなるため、波形（ｃ）及び（ｄ）に示すように、スイッチ回路Ｓ以降に電圧は発生しない。したがって、波形（ｅ）に示すように、ポートＰ１に論理ローが入力される。波形（ｆ）に示すように、ポートＰ２には、波形（ｂ）に示すＰＷＭ調光信号がレベル変換及び積分された結果のアナログ値が入力される。これにより、調光制御回路３４０は、このアナログ値に応じた調光率に対応する調光目標値を生成する。
【００４５】
調光回路３００については種々の変形が可能である。図１では、振幅判別回路３２０において、選別回路が、電圧レギュレータ回路ＶＲから調光制御回路３４０に向けて、ツェナーダイオード２８（スイッチ回路Ｓ）、平滑回路Ｃ及びフォトカプラ３１の順で接続される構成を示した。この接続構成（及び後述の図３Ａに示す構成）は、ツェナーダイオード２８での電圧降下によって、平滑回路Ｃ及びフォトカプラ３１に比較的低耐圧の部品を用いることができる点でコスト上有利である。ただし、上記選別回路の接続順序はこれに限られない。
【００４６】
例えば、図３Ａに示すように、選別回路は、スイッチ回路Ｓ、フォトカプラ３１及び平滑回路Ｃの順で構成されてもよい。また、図３Ｂに示すように、選別回路は、平滑回路Ｃ、スイッチ回路Ｓ及びフォトカプラ３１の順で構成されてもよいし、図３Ｃに示すように、平滑回路Ｃ、フォトカプラ３１及びスイッチ回路Ｓの順で構成されてもよい。また、図３Ｄに示すように、選別回路は、フォトカプラ３１、スイッチ回路Ｓ及び平滑回路Ｃの順で構成されてもよいし、図３Ｅに示すように、フォトカプラ３１、平滑回路Ｃ及びスイッチ回路Ｓの順で構成されてもよい。
【００４７】
ここで、図３Ｅに示すように、スイッチ回路Ｓとして、ツェナーダイオード２８の代わりに、制御電源Ｖｃｃ２を受けて二次側グランドＧ２を基準電位として動作し、比較閾値Ｖｃｍｐ（ツェナー電圧ＺＶ２と同程度の電圧）に関して反転動作するコンパレータが採用されてもよい。図３Ｃ及び図３Ｄについても同様である。以降において、比較閾値Ｖｃｍｐ及びツェナー電圧ＺＶ２をまとめて閾値Ｖｔｈというものとする。特に、図３Ｅに示すように、最後段にスイッチ回路Ｓが配置される場合には、スイッチ回路Ｓをコンパレータとすることにより、ポートＰ１での論理ハイを制御電源Ｖｃｃ２の電圧に一致させることができるので、調光制御回路３４０での信号処理が容易となる。
【００４８】
すなわち、上記をまとめると、振幅判別回路３２０は、整流出力から、設定電圧（ツェナー電圧ＺＶ１）を上限とする出力電圧Ｖｒを生成する電圧レギュレータ回路ＶＲと、出力電圧Ｖｒが設定電圧である場合には論理ハイを出力し、出力電圧ＶｒがＰＷＭ調光信号のピーク電圧以下である場合には論理ローを出力するように構成された選別回路（スイッチ回路Ｓ、平滑回路Ｃ、フォトカプラ３１）を有していればよい。これにより、簡素な構成で振幅判別回路３２０が形成される。
【００４９】
また、アナログ変換回路３３０の積分変換回路（フォトカプラ３５及び積分回路ＲＣ）は、図４に示すように、電圧レギュレータ回路ＶＲから調光制御回路３４０に向けて、積分回路ＲＣ及びフォトカプラ３５の順で構成されてもよい。すなわち、アナログ変換回路３３０は、整流出力から、設定電圧（ツェナー電圧ＺＶ１）を上限とする出力電圧Ｖｒを生成する電圧レギュレータ回路ＶＲと、出力電圧Ｖｒの積分に基づいてアナログ値を生成する積分変換回路（フォトカプラ３５、積分回路ＲＣ）を有していればよい。これにより、簡素な構成でアナログ変換回路３３０が形成される。
【００５０】
以上のように、本実施形態による調光点灯装置１００は、調光目標値に応じた出力電流をＬＥＤ５に供給する電源回路２００と、電源回路２００に調光目標値を出力する調光回路３００を備える。調光回路３００は、ＡＣ調光信号及びＰＷＭ調光信号を受付け可能な一対の調光入力端子Ｔ７及びＴ８と、一対の調光入力端子Ｔ７及びＴ８に接続された整流回路３１０と、整流出力のピーク電圧が所定値以上である場合には論理ハイを出力し、整流出力のピーク電圧が所定値未満である場合には論理ローを出力する振幅判別回路３２０と、整流出力から、ＰＷＭ調光信号のデューティ比に応じたアナログ値を出力するアナログ変換回路３３０と、振幅判別回路３２０によって論理ハイが出力される場合には予め設定された段調光用の調光率に対応する調光目標値を電源回路２００に出力し、振幅判別回路３２０によって論理ローが入力される場合にはアナログ値に応じた調光率に対応する調光目標値を電源回路２００に出力するように構成された調光制御回路３４０を備える。
【００５１】
これにより、入力端子Ｔ７及びＴ８並びに整流回路３１０は、ピーク電圧が相対的に高いＡＣ調光信号及びピーク電圧が相対的に低いＰＷＭ調光信号を調光信号として受け付け、振幅判別回路３２０が、ＡＣ調光信号入力時には論理ハイを出力し、ＰＷＭ調光信号入力時には論理ローを出力することができる。一方で、アナログ変換回路３３０は、ＰＷＭ調光信号入力時には、整流出力からＰＷＭ調光信号のデューティ比に応じたアナログ値を出力する。そして、調光制御回路３４０が、論理ハイが出力される場合にはアナログ変換回路３３０の出力にかかわらず段調光用の調光目標値を電源回路２００に出力し、論理ローが入力される場合にはアナログ値に応じた調光目標値を電源回路２００に出力する。このように、調光信号としてＡＣ調光信号及びＰＷＭ調光信号の双方を同じ入力端子Ｔ７及びＴ８から受け付けてそれぞれの調光信号に従う調光点灯を可能とする調光点灯装置１００及びそれを用いた照明装置１５０が実現される。
【００５２】
＜第２の実施形態＞
上記第１の実施形態では、振幅判別回路３２０及びアナログ変換回路３３０がそれぞれのフォトカプラ３１及び３５を有する構成を示したが、本実施形態では振幅判別回路３２０及びアナログ変換回路３３０が１つのフォトカプラを共有する構成を示す。本実施形態において、第１の実施形態と同様の又は対応する構成には同じ符号を付し、その重複する説明を省略する。
【００５３】
図５に本実施形態の調光回路３００を示す。振幅判別回路３２０は電圧レギュレータ回路ＶＲ、フォトカプラ４１、平滑回路Ｃ及びスイッチ回路Ｓを有し、アナログ変換回路３３０は電圧レギュレータ回路ＶＲ、フォトカプラ４１及び積分回路ＲＣを有する。すなわち、振幅判別回路３２０及びアナログ変換回路３３０は、電圧レギュレータ回路ＶＲ及びフォトカプラ４１を共有する。
【００５４】
フォトカプラ４１は、電圧レギュレータ回路ＶＲの出力電圧Ｖｒをレベル変換して出力電圧Ｖ４１を出力する。フォトカプラ４１のフォトダイオード４１ｄには、抵抗４２が直列接続され、抵抗４３が並列接続され、フォトカプラ４１のフォトトランジスタ４１ｔのコレクタには制御電源Ｖｃｃ２が接続され、エミッタと二次側グランドＧ２の間には抵抗４４が接続される。抵抗４２及び４３によってフォトダイオード４１ｄの入力電流が決定されるとともに、抵抗４４によってフォトカプラ４１の出力電圧Ｖ４１が決定される。このように、フォトカプラ４１によって、電圧レギュレータ回路ＶＲの電圧レベルが二次側グランドＧ２を基準として変換される。
【００５５】
スイッチ回路Ｓは、ツェナーダイオードであってもコンパレータであってもよい。また、第１の実施形態における図３Ｅに示すように、スイッチ回路Ｓが平滑回路Ｃの後段に配置されるようにしてもよい。積分回路ＲＣは、第１の実施形態と同様に動作する。
【００５６】
図６Ａ及び図６Ｂに、本実施形態における調光回路３００の動作を示す。図６ＡはＡＣ調光信号が入力された場合の各部波形を示し、図６ＢはＰＷＭ調光信号が入力された場合の各部波形を示す。各図において、上段から、（ａ）調光信号、（ｂ）電圧レギュレータ回路ＶＲの出力電圧Ｖｒ、（ｃ）フォトカプラ４１の出力電圧Ｖ４１、（ｄ）平滑回路Ｃの平滑出力電圧Ｖｃ、（ｅ）ポートＰ１の入力電圧及び（ｆ）ポートＰ２の入力電圧を示し、横軸は時間である。なお、電圧及び時間に関して、図は縮尺通りではない。
【００５７】
図６Ａに示すように、波形（ａ）に示すＡＣ調光信号が入力されると、波形（ｂ）に示すように、交流電圧の全波整流出力が電圧レギュレータ回路ＶＲによってクランプされる。波形（ｂ）及び波形（ｃ）に示すように、出力電圧Ｖｒと出力電圧Ｖ４１は相似形となる。波形（ｄ）に示すように、平滑出力電圧Ｖｃは閾値Ｖｔｈより高い（そのようにツェナー電圧ＶＺ１、及びツェナー電圧ＺＶ２又は比較閾値Ｖｃｍｐが設定されている）。したがって、スイッチ回路Ｓの動作によって、波形（ｅ）に示すように、ポートＰ１に論理ハイが入力され、調光制御回路３４０は段調光用の調光目標値を生成する。なお、積分回路ＲＣは高周波積分用の時定数を有するので、波形（ｆ）に示すように、波形（ｃ）に示す出力電圧Ｖｒの低周波波形がポートＰ２に現われる。したがって、ポートＰ２には高い電圧が現われるが、ポートＰ１に入力される論理がハイであるので、ポートＰ２の電圧は調光制御回路３４０における調光率決定に影響しない。
【００５８】
図６Ｂに示すように、波形（ａ）に示すＰＷＭ調光信号が入力されると、ＰＷＭ調光信号の振幅がツェナー電圧ＺＶ１未満であるため、波形（ｂ）に示すように、ＰＷＭ調光信号の波形がそのまま出力電圧Ｖｒとなる。波形（ｂ）及び波形（ｃ）に示すように、出力電圧Ｖｒと出力電圧Ｖ４１は相似形となる、波形（ｄ）に示すように、平滑出力電圧Ｖｃは閾値Ｖｔｈより低い（そのようにツェナー電圧ＺＶ２又は比較閾値Ｖｃｍｐが設定されている）。したがって、スイッチ回路Ｓの動作によって、波形（ｅ）に示すように、ポートＰ１に論理ローが入力される。波形（ｆ）に示すように、ポートＰ２には、ＰＷＭ調光信号がレベル変換及び積分された結果のアナログ値が入力される。これにより、調光制御回路３４０は、このアナログ値に応じた調光率に対応する調光目標値を生成する。
【００５９】
以上のように、本実施形態においては、振幅判別回路３２０は、整流出力から、設定電圧を上限とする出力電圧Ｖｒを生成する電圧レギュレータ回路ＶＲと、電圧レギュレータ回路ＶＲ側の基準電位を二次側グランドＧ２に変換するフォトカプラ４１と、フォトカプラ４１の出力電圧Ｖ４１が閾値Ｖｔｈ以上である場合には論理ハイを出力し、フォトカプラ４１の出力電圧Ｖ４１が閾値Ｖｔｈ未満である場合には論理ローを出力するように構成された選別回路（スイッチ回路Ｓ、平滑回路Ｃ）を備える。アナログ変換回路３３０は、上記電圧レギュレータ回路ＶＲと、上記フォトカプラ４１と、フォトカプラ４１の出力電圧Ｖ４１からアナログ値を生成する積分回路ＲＣを備える。これにより、振幅判別回路３２０及びアナログ変換回路３３０が１つのフォトカプラ４１を共有することができ、回路構成の更なる簡素化が可能となる。
【００６０】
＜第３の実施形態＞
上記第１及び第２の実施形態では、振幅判別回路３２０及びアナログ変換回路３３０が１つの整流回路３１０に接続される構成を示したが、本実施形態では、振幅判別回路３２０及びアナログ変換回路３３０が個別の整流回路に接続される構成を示す。本実施形態において、第１又は第２の実施形態と同様の又は対応する構成には同じ符号を付し、その重複する説明を省略する。
【００６１】
図７に、本実施形態の調光回路３００を示す。調光回路３００は、調光入力端子Ｔ７及びＴ８に対して並列接続された整流回路（ダイオードブリッジ）３１１及び３１２を有する。振幅判別回路３２０は整流回路３１１に接続され、アナログ変換回路３３０は整流回路３１２に接続される。アナログ変換回路３３０は、上述した第１の実施形態の構成と同様である。
【００６２】
振幅判別回路３２０は、抵抗４５、抵抗４６及びコンデンサ４７を含む分圧平滑回路Ｄ、ツェナーダイオード４８からなるスイッチ回路Ｓ、並びにフォトカプラ３１を有する。分圧平滑回路Ｄの時定数は、上述した平滑回路Ｃの時定数と同程度であればよい。分圧平滑回路Ｄは、例えば、入力電圧を２０分の１程度に分圧し、その分圧された電圧を平滑して平滑出力電圧Ｖｄを出力する。これにより、ＡＶ１００Ｖ又はＡＣ２００ＶのＡＣ調光信号が入力される場合には、平滑出力電圧Ｖｄは、約７Ｖ（＝１４１Ｖ／２０）又は約１４Ｖ（＝２８２Ｖ／２０）となり、ＰＷＭ調光信号が入力される場合には、最大で０．６Ｖ（＝１２Ｖ／２０）となる。
【００６３】
上記の平滑出力電圧Ｖｄにおける差が、スイッチ回路Ｓ（ツェナーダイオード４８）によって選別される。したがって、閾値Ｖｔｈとなるツェナーダイオード４８のツェナー電圧ＺＶ３は数Ｖであればよい。これにより、ＡＣ調光信号の場合には、平滑出力電圧Ｖｄとツェナー電圧ＺＶ３の差分に対応する論理ハイがフォトカプラ３１の出力電圧Ｖ３１として出力され、ＰＷＭ調光信号の場合には、ツェナーダイオード４８のオフ状態に対応する論理ローが出力電圧Ｖ３１として出力され、この出力電圧Ｖ３１がポートＰ１に入力される。なお、調光制御回路３４０がＡＣ調光信号入力時の平滑出力電圧Ｖｄ（例えば、７Ｖ又は１４Ｖ）とＰＷＭ調光信号入力時の平滑出力電圧Ｖｄ（例えば０．６Ｖ以下の電圧）とをそれぞれ論理ハイと論理ローに識別できる場合には、スイッチ回路Ｓは不要である。また、本実施形態においても、スイッチ回路Ｓはフォトカプラ３１の後段に接続されてもよい。
【００６４】
これにより、第１及び第２の実施形態と同様に、ＡＣ調光信号入力時には、ポートＰ１に論理ハイが入力され、調光制御回路３４０は、ポートＰ２の入力にかかわらず、段調光に対応する調光目標値を生成する。一方、ＰＷＭ調光信号入力時には、ポートＰ１に論理ローが入力され、調光制御回路３４０は、ポートＰ２に入力されるアナログ値に応じた調光率に対応する調光目標値を生成する。
【００６５】
以上のように、本実施形態では、整流回路が調光入力端子Ｔ７及びＴ８に並列接続された整流回路３１１及び３１２からなり、振幅判別回路３２０が、整流回路３１１の整流出力を分圧及び平滑する分圧平滑回路Ｄと、分圧平滑回路Ｄの平滑出力電圧Ｖｄが閾値Ｖｔｈ以上である場合には論理ハイを出力し、平滑出力電圧Ｖｄが閾値Ｖｔｈ未満である場合には論理ローを出力するように構成された選別回路（フォトカプラ３１、必要に応じてスイッチ回路Ｓ）を備え、アナログ変換回路３３０が、整流回路３１２の整流出力から、設定電圧（ツェナー電圧ＺＶ１）を上限とする出力電圧Ｖｒを生成する電圧レギュレータ回路ＶＲと、出力電圧Ｖｒの積分に基づいてアナログ値を生成する積分変換回路（フォトカプラ３５、積分回路ＲＣ）を備える。このように、第１及び第２の実施形態の構成に比べて１つの追加の整流回路が必要となるが、振幅判別回路３２０及びアナログ変換回路３３０が独立して設計されるのでそれぞれの回路の設計自由度が増す。
【００６６】
＜変形例＞
以上に本発明の好適な実施形態を示したが、本発明は、例えば以下に示すように種々の態様に変形可能である。
【００６７】
（１）制御回路２４０に関する変形
上記各実施形態では、制御回路２４０によって出力電流又は負荷電圧がフィードバック制御される構成を示したが、出力電流がフィードフォワード制御される構成も可能である。例えば、図８に示すように、調光制御回路３４０からの調光目標値が制御ＩＣ１５に直接入力されて、制御ＩＣ１５がＦＥＴ５のＰＷＭ駆動をフィードフォワード制御する構成としてもよい。この場合、フォトトランジスタ３１ｔ、３５ｔ及び４１ｔ並びに調光制御回路３４０は、制御電源Ｖｃｃ１の給電を受けて一次側グランドＧ１を基準電位として動作する。
【００６８】
（２）光源に関する変形
上記実施形態では、ＬＥＤ５を光源とする調光点灯装置１００を示したが、本発明の構成は、電源回路２００を適切に構成することにより、放電灯等の他の光源を調光点灯するための調光点灯装置及び照明装置にも適用可能である。
【符号の説明】
【００６９】
３１、３５、４１  フォトカプラ
５０  ＬＥＤ（光源）
１００  調光点灯装置
１５０  照明装置
２００  電源回路
３００  調光回路
３１０、３１１、３１２  整流回路
３２０  振幅判別回路
３３０  アナログ変換回路
３４０  調光制御回路
Ｃ  平滑回路
Ｄ  分圧平滑回路
ＲＣ  積分回路
Ｓ  スイッチ回路
Ｔ７、Ｔ８  調光入力端子
ＶＲ  電圧レギュレータ回路
【図１】
0006634940.tif 000002
【図２Ａ】
0006634940.tif 000003
【図２Ｂ】
0006634940.tif 000004
【図３Ａ】
0006634940.tif 000005
【図３Ｂ】
0006634940.tif 000006
【図３Ｃ】
0006634940.tif 000007
【図３Ｄ】
0006634940.tif 000008
【図３Ｅ】
0006634940.tif 000009
【図４】
0006634940.tif 000010
【図５】
0006634940.tif 000011
【図６Ａ】
0006634940.tif 000012
【図６Ｂ】
0006634940.tif 000013
【図７】
0006634940.tif 000014
【図８】
0006634940.tif 000015